(57)【要約】【課題】半嵌合を防止することができ、かつ、コネクタ全体の小型化及び取扱い性の向上を図ることができる半嵌合防止コネクタを提供する。【解決手段】半嵌合防止コネクタ１０は、一方の端子２５とロックアーム２７を有する一方のコネクタ２０と、この一方のコネクタ２０に嵌合した際にロックアーム２７のロック部２８が係止される係止部３８と他方の端子３５を有する他方のコネクタ３０と、両コネクタ２０，３０にそれぞれ設けられて半嵌合時に両コネクタ２０，３０を反嵌合方向Ｂに付勢する磁性体２９，３９とを備え、両コネクタ２０，３０に設けられた各磁性体２９，３９は、同極性の磁力を有し、ロックアーム２７のロック部２８が他方のコネクタ３０の係止部３８に係止されるまでの両コネクタ２０，３０の半嵌合時に、各磁性体２９，３９の同極性の磁力による反発力が働くようにした。【選択図】図３
2019016470.tif 000002
【特許請求の範囲】
【請求項１】
一方の端子とロックアームを有する一方のコネクタと、
前記一方のコネクタに嵌合した際に前記ロックアームのロック部が係止される係止部と他方の端子を有する他方のコネクタと、
前記両コネクタにそれぞれ設けられて半嵌合時に該両コネクタを反嵌合方向に付勢する磁性体とを備え、
前記両コネクタに設けられた各磁性体は、同極性の磁力を有し、前記ロックアームのロック部が前記他方のコネクタの係止部に係止されるまでの前記両コネクタの半嵌合時に前記各磁性体の同極性の磁力による反発力が働くようにしたことを特徴とする半嵌合防止コネクタ。
【請求項２】
請求項１記載の半嵌合防止コネクタであって、
前記両コネクタに設けられた各磁性体は、同極性の磁力を有する磁石からなることを特徴とする半嵌合防止コネクタ。
【発明の詳細な説明】
【技術分野】
【０００１】
本発明は、半嵌合防止機能を備えた半嵌合防止コネクタに関する。
【背景技術】
【０００２】
この種の半嵌合防止コネクタとして、図５と図６に示すものが知られている。この半嵌合防止コネクタ１は、図５と図６に示すように、雌ハウジング３に雌端子４を有すると共に、雌ハウジング３の外側に一対のロックアーム３ａ，３ａを有する雌コネクタ２と、雄ハウジング６に雄端子７を有すると共に、雌コネクタ２に嵌合した際に、ロックアーム３ａのロック突部３ｂが係止される係止凹部６ａを有する雄コネクタ５と、雄ハウジング６の一対のバネ収容部６ｂ，６ｂ内にスライド自在に設けられ、雌コネクタ２の嵌合方向Ａに沿ってスライドする一対のスライド部材８，８と、雌，雄コネクタ２，５の半嵌合時にスライド部材８を雌コネクタ２の反嵌合方向Ｂに付勢して雌，雄コネクタ２，５を離間させる圧縮コイルバネ９と、を備えている。尚、図５及び図６中符号６ｃは、雄ハウジング６のバネ収容部６ｂを覆うカバーである。
【０００３】
そして、半嵌合（中途嵌合）を防止するために、雌，雄コネクタ２，５の嵌合時の挿入力より圧縮コイルバネ９の反発力を強くすることで、雌コネクタ２のロックアーム３ａのロック突部３ｂと雄コネクタ５の係止凹部６ａとが係止するまで、雌コネクタ２が圧縮コイルバネ９の弾性力（復元力）により雌端子４と雄端子７が接触しない状態まで押し戻され、雌，雄コネクタ２，５の半嵌合において雌端子４と雄端子７が導通しないようになっている。
【先行技術文献】
【特許文献】
【０００４】
【特許文献１】特開平１１−１１１３９０号公報
【発明の概要】
【発明が解決しようとする課題】
【０００５】
しかしながら、前記従来の半嵌合防止コネクタ１では、半嵌合防止用の圧縮コイルバネ９を雄コネクタ５の雄ハウジング６に形成されたバネ収容部６ｂに収容するため、構造が複雑となってコネクタ全体が大型となり、その取扱い性が悪かった。
【０００６】
そこで、本発明は、前記した課題を解決すべくなされたものであり、半嵌合を防止することができ、かつ、コネクタ全体の小型化及び取扱い性の向上を図ることができる半嵌合防止コネクタを提供することを目的とする。
【課題を解決するための手段】
【０００７】
本発明は、半嵌合を防止する機能を備えた半嵌合防止コネクタであって、一方の端子とロックアームを有する一方のコネクタと、前記一方のコネクタに嵌合した際に前記ロックアームのロック部が係止される係止部と他方の端子を有する他方のコネクタと、前記両コネクタにそれぞれ設けられて半嵌合時に該両コネクタを反嵌合方向に付勢する磁性体とを備え、前記両コネクタに設けられた各磁性体は、同極性の磁力を有し、前記ロックアームのロック部が前記他方のコネクタの係止部に係止されるまでの前記両コネクタの半嵌合時に前記各磁性体の同極性の磁力による反発力が働くようにしたことを要旨とする。
【０００８】
また、本発明の半嵌合防止コネクタは、前記両コネクタに設けられた各磁性体が同極性の磁力を有する磁石からなることを特徴とする。
【発明の効果】
【０００９】
本発明によれば、半嵌合防止用のバネ部材の代わりに同極性の磁力を有する磁性体を用いることで、従来のようなバネ部材を収容する部分が不要となり、その分、構造の簡素化を図ることができる。この構造の簡素化により、コネクタ全体の小型化及び取扱い性の向上を図ることができる。
【図面の簡単な説明】
【００１０】
【図１】本発明の一実施形態の半嵌合防止コネクタの要部を断面で示す斜視図である。
【図２】上記半嵌合防止コネクタの嵌合前の状態を示す断面図である。
【図３】上記半嵌合防止コネクタの嵌合途中の状態を示す断面図である。
【図４】上記半嵌合防止コネクタの嵌合完了状態を示す断面図である。
【図５】従来の半嵌合防止コネクタの嵌合前の状態を示す説明図である。
【図６】上記従来の半嵌合防止コネクタの嵌合完了の状態を示す説明図である。
【発明を実施するための形態】
【００１１】
以下、本発明の一実施形態を図面に基づいて説明する。
【００１２】
図１は本発明の一実施形態の半嵌合防止コネクタの要部を断面で示す斜視図、図２は同コネクタの嵌合前の状態を示す断面図、図３は同コネクタの嵌合途中の状態を示す断面図、図４は同コネクタの嵌合完了状態を示す断面図である。
【００１３】
図１〜図４に示すように、半嵌合防止コネクタ１０は、硬質合成樹脂製の雌ハウジング２１の円筒状の内側ハウジング２２内に複数の雌端子（一方の端子）２５を有し、円筒状の外側ハウジング２４の上下部に一対のロックアーム２７，２７を有する雌コネクタ（一方のコネクタ）２０と、硬質合成樹脂製の雄ハウジング３１の円筒状のフード部３２の隔壁３３に複数の雄端子（他方の端子）３５を有し、円筒状のフード部３２の隔壁３３に対向する位置にロックアーム２７のロック突起（ロック部）２８が係止・離脱される係止凹部（係止部）３８を有する雄コネクタ（他方のコネクタ）３０と、雌ハウジング２１の隔壁２３の中央及び雄ハウジング３１の隔壁３３の中央に設けられ、ロックアーム２７のロック突起２８が雄ハウジング３１の係止凹部３８に係止されるまでの両コネクタ２０，３０の半嵌合時において両コネクタ２０，３０を離間させる反発力（磁力）を有する円柱状で同極性の磁石（磁性体）２９，３９と、を備えている。
【００１４】
雌コネクタ２０の円筒状の内側ハウジング２２と円筒状の外側ハウジング２４を仕切る円板状の隔壁２３の中央部の回りには、複数の円筒状の雌端子２５を突設してある。各雌端子２５には電線２６が接続されている。
【００１５】
また、雌ハウジング２１の外側ハウジング２４の上下部には、各一対のスリット２４ａ，２４ａを形成してあり、この各一対のスリット２４ａ，２４ａ間には、先端にロック突起２８を有した一対のロックアーム２７，２７を撓み変形自在に一体突出形成してある。
【００１６】
さらに、雌ハウジング２１の隔壁２３の中央には、例えばＮ極の磁性を有した円柱状の磁石２９の基部２９ａを埋設してある。
【００１７】
雄コネクタ３０の円筒状のフード部３２の円板状の隔壁３３の中央部の回りには、複数のピン状の雄端子３５を突設してある。各雄端子３５には電線３６が接続されている。
【００１８】
また、雄ハウジング３１の隔壁３３の中央には、例えばＮ極の磁性を有した円柱状の磁石３９の基部３９ａを埋設してある。雌コネクタ２０の磁石２９と雄コネクタ３０の磁石３９は共に同極性を有するため、互いに近接すると反発し合うようになっている。尚、図３において、雄コネクタ３０に対して雌コネクタ２０を反嵌合方向（嵌合方向の逆方向）Ｂに付勢して雌，雄コネクタ２０，３０を離間させる磁石２９，３９の反発力が働く距離（空間）を符号Ｈで示す。
【００１９】
さらに、雄ハウジング３１の円筒状のフード部３２の上下部には、ロックアーム２７のロック突起２８が接触して摺動する長溝凹状のロックアーム接触部３７をそれぞれ形成してある。この各長溝凹状のロックアーム接触部３７の中央には、ロックアーム２７のロック突起２８が係止・離脱される係止凹部３８を形成してある。
【００２０】
以上実施形態の半嵌合防止コネクタ１０によれば、図３に示すように、雌コネクタ２０と雄コネクタ３０の嵌合開始時に、雄ハウジング３１のロックアーム接触部３７により雌コネクタ２０のロックアーム２７が持ち上げられる。雌ハウジング２１を雄ハウジング３１の方向に移動させることにより、雌ハウジング２１のロックアーム２７のロック突起２８と雄ハウジング３１の係止凹部３８に係止することで、図４に示すように、完全嵌合状態となる。
【００２１】
雌ハウジング２１と雄ハウジング３１にそれぞれ組み込まれた磁石２９，３９を同極性にすることにより、雌，雄コネクタ２０，３０の半嵌合（中途嵌合）時に、雌コネクタ２０と雄コネクタ３０の離脱力を超える反発力が発生する。これにより、両コネクタ２０，３０が完全嵌合状態とならない限り、磁石２９，３９の反発力によって、雌端子２５と雄端子３５は接触しない位置まで戻されるため、半嵌合による雌コネクタ２０の雌端子２５と雄コネクタ３０の雄端子３５の導通を防止することができる。
【００２２】
また、磁石２９，３９を用いることで、従来のコネクタに設けられているバネ部材を収容する部分が不要となるため、その分、構造の簡素化を図ることができる。この構造の簡素化により、コネクタ全体を小型化することができ、かつ、その取扱い性を向上させることができる。
【００２３】
尚、前記実施形態によれば、Ｎ極同士の磁石で反発させたが、Ｓ極同士の磁石で反発させるようにしても良い。また、磁性体として円柱状の磁石を用いたが、矩形体状の磁石でも良い。さらに、磁石をハウジングの中央に設けたが、例えば、円環状（リング状）の磁石を外周側等の中央以外の箇所に設けても良い。
【符号の説明】
【００２４】
１０  半嵌合防止コネクタ
２０  雌コネクタ（一方のコネクタ）
２５  雌端子（一方の端子）
２７  ロックアーム
２８  ロック突起（ロック部）
２９  磁石（磁性体）
３０  雄コネクタ（他方のコネクタ）
３５  雄端子（他方の端子）
３８  係止凹部（係止部）
３９  磁石（磁性体）
Ｂ  反嵌合方向
【図１】
2019016470.tif 000003
【図２】
2019016470.tif 000004
【図３】
2019016470.tif 000005
【図４】
2019016470.tif 000006
【図５】
2019016470.tif 000007
【図６】
2019016470.tif 000008